(57)【要約】【課題】皮膚に適用した際に皮膚上から十分な強度の香り立ちが持続的に得られる香料前駆体組成物の提供。【解決手段】成分(A)〜(C)を含有し、かつ条件１〜３を満たす香料前駆体組成物。  (A)：炭素数６以上10以下の不飽和アルコール香料と、炭素数12以上18以下の飽和モノカルボン酸若しくは炭素数４以上10以下の飽和ジカルボン酸とのエステルから選ばれる、１種又は２種以上の香料前駆体  (B)：HLB８以上15以下のポリオキシエチレンソルビタン脂肪酸エステルの１種又は２種以上  (C)：炭素数16以上22以下の脂肪酸、及び当該脂肪酸のモノグリセリドから選ばれる１種又は２種以上  条件１：質量比(B)／(A)が0.0001以上0.8以下  条件２：質量比(C)／(A)が0.02以上４以下  条件３：質量比[(B)＋(C)]／(A)が0.55以上２以下【選択図】なし【特許請求の範囲】
【請求項１】
下記成分(A)〜(C)を含有し、かつ下記条件１〜３を満たす香料前駆体組成物。
(A)：炭素数６以上10以下の直鎖若しくは分岐鎖の不飽和アルコール香料と、炭素数12以上18以下の飽和モノカルボン酸若しくは炭素数４以上10以下の飽和ジカルボン酸とのエステルから選ばれる、１種又は２種以上の香料前駆体
(B)：HLB８以上15以下のポリオキシエチレンソルビタン脂肪酸エステルの１種又は２種以上
(C)：炭素数16以上22以下の飽和又は不飽和の直鎖又は分岐鎖の脂肪酸、及び当該脂肪酸のモノグリセリドから選ばれる１種又は２種以上
条件１：成分(A)に対する成分(B)の含有質量比(B)／(A)が0.0001以上0.8以下
条件２：成分(A)に対する成分(C)の含有質量比(C)／(A)が0.02以上４以下
条件３：成分(A)に対する成分(B)及び成分(C)の合計の含有質量比[(B)＋(C)]／(A)が0.55以上２以下
【請求項２】
成分(C)の脂肪酸の炭素数、又はモノグリセリドにおける脂肪酸の炭素数が16以上18以下である請求項１に記載の香料前駆体組成物。
【請求項３】
成分(C)がステアリン酸、オレイン酸、パルミチン酸、ステアリン酸モノグリセリド、オレイン酸モノグリセリド及びパルミチン酸モノグリセリドからなる群より選ばれる１種又は２種以上である請求項１又は２に記載の香料前駆体組成物。
【請求項４】
(B)成分がポリオキシエチレンソルビタンモノオレイン酸エステル及びポリオキシエチレンソルビタンモノステアリン酸エステルから選ばれる１種又は２種以上である請求項１〜３のいずれかに記載の香料前駆体組成物。
【請求項５】
請求項１〜４のいずれかに記載の香料前駆体組成物を含有する製品を、ヒト皮膚常在菌又は居住環境常在菌と接触させることにより香料を徐放させる方法。
【請求項６】
請求項１〜４のいずれかに記載の香料前駆体組成物を含有する製品がファインフレグランス製品、スキンケア製品、ヘアケア製品又はハウスホールド製品である請求項５に記載の方法。
【発明の詳細な説明】
【技術分野】
【０００１】
本発明は、香料前駆体組成物に関する。
【背景技術】
【０００２】
近年、衣類や化粧品等の香りに対する消費者の関心が高まっており、徐放性の香料に関する技術が種々検討されている。
【０００３】
例えば、特許文献１には、アルコール系香料と多価カルボン酸とからなる多価カルボン酸誘導体を含む組成物を人体に使用すると、皮膚常在菌を含む菌類により徐々に分解され、芳香が長時間にわたって安定的に放出されることが開示されている。また、特許文献２には、アリル系アルコール香料のノニオンエステル又はアニオンエステルを含む洗濯用又は洗浄剤組成物により布地を処理することで、エステル化合物の加水分解により長期にわたり芳香を放つことが開示されている。
【先行技術文献】
【特許文献】
【０００４】
【特許文献１】特開平08-218089号公報
【特許文献２】特表平10-502959号公報
【発明の概要】
【発明が解決しようとする課題】
【０００５】
一方、人の皮膚からは、皮脂や汗などが常在菌に代謝されることにより頭皮臭や足臭などの体臭が発生する。そのため、前記香料のエステル化合物を皮膚に適用するだけでは、十分な強度の香り立ちを得ることができない。
【０００６】
したがって本発明は、皮膚に適用した際に皮膚上から十分な強度の香り立ちが持続的に得られる香料前駆体組成物に関する。
【課題を解決するための手段】
【０００７】
本発明者は、鋭意研究を行った結果、アルコール系香料とモノ又はジカルボン酸とのエステル化合物に、特定のノニオン界面活性剤と、脂肪酸又はそのモノグリセリドを、特定の比率で併用することにより、上記要求が満たされることを見出した。
【０００８】
本発明は、下記成分(A)〜(C)を含有し、かつ下記条件１〜３を満たす香料前駆体組成物を提供するものである。
(A)：炭素数６以上10以下の直鎖若しくは分岐鎖の不飽和アルコール香料と、炭素数12以上18以下の飽和モノカルボン酸若しくは炭素数４以上10以下の飽和ジカルボン酸とのエステルから選ばれる、１種又は２種以上の香料前駆体
(B)：HLB８以上15以下のポリオキシエチレンソルビタン脂肪酸エステルの１種又は２種以上
(C)：炭素数16以上22以下の飽和又は不飽和の直鎖又は分岐鎖の脂肪酸、及び当該脂肪酸のモノグリセリドから選ばれる１種又は２種以上
条件１：成分(A)に対する成分(B)の含有質量比(B)／(A)が0.0001以上0.8以下
条件２：成分(A)に対する成分(C)の含有質量比(C)／(A)が0.02以上４以下
条件３：成分(A)に対する成分(B)及び成分(C)の合計の含有質量比[(B)＋(C)]／(A)が0.55以上２以下
【０００９】
また本発明は、前記の香料前駆体組成物を含有する製品を、ヒト皮膚常在菌又は居住環境常在菌と接触させることにより香料を徐放させる方法を提供するものである。
【発明の効果】
【００１０】
本発明の香料前駆体組成物は、皮膚に適用した際に皮膚上から十分な強度の香り立ちが持続的に得られる。
【発明を実施するための形態】
【００１１】
〔成分(A)：香料前駆体〕
成分(A)の香料前駆体は、炭素数６以上10以下の直鎖若しくは分岐鎖の不飽和アルコール香料と、炭素数12以上18以下の飽和モノカルボン酸若しくは炭素数４以上10以下の飽和ジカルボン酸とのエステルから選ばれる１種又は２種以上である。
【００１２】
香料前駆体に使用される炭素数６以上10以下の直鎖又は分岐鎖の不飽和アルコール香料としては、トランス-2-ヘキセノール、9-デセノール、シス-3-ヘキセノール、ゲラニオール、ネロール、シトロネロール、2-イソプロペニル-5-メチル-4-ヘキセン-1-オール(ラバンジュロール)、シンナミックアルコール等が挙げられる。これらのうち、ゲラニオール、シトロネロール、シス-3-ヘキセノールが、香りのバリエーション拡張の点で好ましい。
【００１３】
香料前駆体に使用される炭素数12以上18以下の飽和モノカルボン酸としては、ラウリン酸、ミリスチン酸、パルミチン酸、ステアリン酸が挙げられる。また、炭素数４以上10以下の飽和ジカルボン酸としては、コハク酸、グルタル酸、アジピン酸、ピメリン酸、スベリン酸、アゼライン酸、セバシン酸が挙げられる。これらのうち、パルミチン酸、ステアリン酸、コハク酸、アジピン酸が好ましい。
【００１４】
成分(A)の香料前駆体の具体例としては、コハク酸ジゲラニル、アジピン酸ジゲラニル、セバシン酸ジゲラニル、パルミチン酸シトロネリル、ステアリン酸シス-3-ヘキセニル、ステアリン酸ゲラニル等が挙げられる。これら香料前駆体は、単独で又は２種以上を組み合わせて使用することができる。
【００１５】
本発明の香料前駆体組成物中における成分(A)の含有量は、分解時に香りを知覚しやすい観点から、好ましくは0.001質量％以上、より好ましくは0.01質量％以上、更に好ましくは0.1質量％以上であり、また、好ましくは10質量％以下、より好ましくは５質量％以下、更に好ましくは１質量％以下である。
【００１６】
〔成分(B)：ポリオキシエチレンソルビタン脂肪酸エステル〕
成分(B)は、HLB８以上15以下のポリオキシエチレンソルビタン脂肪酸エステルの１種又は２種以上である。ここで、HLB値とは、油−水系で界面活性剤の両液体に対する相対的親和力の比を表す指標であり、グリフィン（Griffin）の定義による、25℃におけるHLB値を意味する。グリフィンによるHLB値は、J. Soc. Cosm. Chem., 1954, 5:249-256において定義されている。これらは、単独で又は２種以上を組み合わせて使用することができる。
【００１７】
かかるポリオキシエチレンソルビタン脂肪酸エステルとしては、ポリオキシエチレンソルビタンモノオレイン酸エステル、ポリオキシエチレンソルビタンモノステアリン酸エステル、ポリオキシエチレンソルビタントリオレイン酸エステル、ポリオキシエチレンソルビタントリステアリン酸エステルが挙げられる。より具体的には、ポリオキシエチレン(20)ソルビタンモノステアレート（HLB：14.9）、ポリオキシエチレン(6)ソルビタンモノステアレート（HLB：9.6）、ポリオキシエチレン(20)ソルビタントリステアレート（HLB：10.5）、ポリオキシエチレン(20)ソルビタンモノオレエート（HLB：15.0）、ポリオキシエチレン(6)ソルビタンモノオレエート（HLB：10.0）、ポリオキシエチレン(20)ソルビタントリオレエート（HLB：11.0）が挙げられる。
これらのうち、ポリオキシエチレンソルビタンモノオレイン酸エステル、ポリオキシエチレンソルビタンモノステアリン酸エステルが好ましい。
【００１８】
本発明の香料前駆体組成物中における成分(B)の含有量は、常在菌との接触による分解を促進させる観点から、好ましくは0.0001質量％以上、より好ましくは0.001質量％以上、更に好ましくは0.01質量％以上であり、また、好ましくは４質量％以下、より好ましくは0.2質量％以下、更に好ましくは0.1質量％以下である。
【００１９】
〔成分(C)：脂肪酸又は脂肪酸モノグリセリド〕
成分(C)は、炭素数16以上22以下の飽和又は不飽和の直鎖又は分岐鎖の脂肪酸、及び当該脂肪酸のモノグリセリドから選ばれる１種又は２種以上である。
【００２０】
成分(C)のうち、炭素数16以上22以下の飽和又は不飽和の直鎖又は分岐鎖の脂肪酸としては、パルミチン酸、ステアリン酸、アラキン酸、ベヘン酸、イソステアリン酸、オレイン酸等が挙げられ、これら脂肪酸のモノグリセリドとしては、パルミチン酸モノグリセリド、ステアリン酸モノグリセリド、オレイン酸モノグリセリドが挙げられる。脂肪酸の炭素数、又はモノグリセリドにおける脂肪酸の炭素数は、常在菌との接触による分解を促進させる観点から、好ましくは16以上20以下、より好ましくは16以上18以下である。
【００２１】
上記化合物のなかでも、ステアリン酸、オレイン酸、パルミチン酸、ステアリン酸モノグリセリド、オレイン酸モノグリセリド、パルミチン酸モノグリセリドが好ましい。これら脂肪酸及び脂肪酸モノグリセリドは、そのいずれか一方を単独で又は２種以上組み合わせて使用することもでき、また、１種又は２種以上の脂肪酸と１種又は２種以上の脂肪酸モノグリセリドを併用することもできる。
【００２２】
本発明の香料前駆体組成物中における成分(C)の含有量は、同様の観点から、好ましくは0.001質量％以上、より好ましくは0.01質量％以上であり、また、好ましくは１質量％以下、より好ましくは0.2質量％以下である。
【００２３】
〔各成分の比率〕
本発明の香料前駆体組成物は、以上の成分(A)〜(C)を含有し、かつ以下に示す条件１〜３を満たすことが必要である。
【００２４】
・条件１：成分(A)に対する成分(B)の含有質量比(B)／(A)が0.0001以上0.8以下
成分(A)に対する成分(B)の含有質量比(B)／(A)は、成分（A）の分解を促進させる観点から、0.001以上であって、好ましくは0.05以上、より好ましくは0.3以上であり、また、0.8以下であって、好ましくは0.6以下、より好ましくは0.5以下である。
【００２５】
・条件２：成分(A)に対する成分(C)の含有質量比(C)／(A)が0.02以上４以下
成分(A)に対する成分(C)の含有質量比(C)／(A)は、成分（A）の分解を促進させる観点から、0.02以上であって、好ましくは0.03以上、より好ましくは0.05以上であり、また、４以下であって、好ましくは３以下、より好ましくは２以下である。
【００２６】
・条件３：成分(A)に対する成分(B)及び成分(C)の合計の含有質量比[(B)＋(C)]／(A)が0.55以上２以下
成分(A)に対する成分(B)及び成分(C)の合計の含有質量比[(B)＋(C)]／(A)は、成分（A）の分解を促進させる点および処方の安定性の観点から、0.55以上であって、好ましくは0.8以上、より好ましくは１以上、であり、また、２以下であって、好ましくは1.8以下、より好ましくは1.6以下である。
【００２７】
〔任意成分〕
本発明の香料前駆体組成物には、以上の成分(A)〜(C)のほかに、一般的に使用される天然精油、香料化合物、又はそれらを適宜混合して得られる調合香料を含有させることができる。具体的には、ペパーミント油、スペアミント油、ローズ油、パチュリ油、オレンジ油、ネロリ油、レモン油等の天然精油；α-ピネン、β-ピネン、テルピノーレン、p-サイメン等のテルペン系炭化水素；シス-3-ヘキセノール、n-ウンデシレンアルコール、n-オクチルアルコール等の脂肪族アルコール；リナロール、ゲラニオール、シトロネロール、l-メントール、ネロリドール、サンタロールどのテルペン系アルコール；フェニルエチルアルコール、シンナミックアルコール、メチルフェニルカルビノール、t-ブチルシクロヘキサノール等の芳香族アルコール又はその誘導体；アニソール、アネトール、オイゲノール等のフェノール誘導体；n-ヘプチルアルデヒド、ウンデシレンアルデヒド、2,6-ノナジエナール等の脂肪族アルデヒド；シトラール、シトロネラール、ヒドロキシシトロネラール、ペリラアルデヒド等のテルペン系アルデヒド；ベンズアルデヒド、フェニルアセトアルデヒド、シンナミックアルデヒド、アニスアルデヒド、クミンアルデヒド、ヘリオトロピン、サイクラメンアルデヒド、バニリン等の芳香族アルデヒド；メチルn-アミルケトン、メチルヘプテノン、ジアセチル等の脂肪族ケトン；l-カルボン、メントン、ピペリトン、カンファー等のテルペン系環状ケトン；ベンゾフェノン、イオノン、メチルイオノン、イロン、マルトール、ジャスモン等の環状ケトン；ムスコン、シクロペンタデカノン、エチレンブラシレート等の大環状ムスク、ニトロムスク、インダンムスク等のムスク系香料化合物類；ローズオキサイド、リナロールオキサイド等のオキサイド；脂肪族酸類又は芳香族酸類のテルペン系アルコール、脂肪族アルコール、芳香族アルコール、フェノール類等とのエステル；含窒素香料化合物；硫黄含有香料化合物などが挙げられる。またこれら以外に、『香料と調香の基礎知識』（中島基貴編著，産業図書株式会社，1995年６月21日初版）、『合成香料−化学と商品知識』（印藤元一著，化学工業日報社，2005年3月25日増補改訂版）に記載の香料素材を適宜用いることができる。
【００２８】
〔剤型〕
本発明の香料前駆体組成物の剤型は特に限定されず、例えば、液、クリーム、ジェル、スプレー等の剤型とすることができる。また、本発明の香料前駆体組成物を、香水、オードトワレ、コロン等のファインフレグランス製品；ボディークリーム、乳液、ボディーローション、制汗防臭剤等のスキンケア製品；ヘアートリートメント、ヘアークリーム、ヘアーローション、ヘアースプレー等のヘアケア製品；表面仕上げ剤（繊維用、硬質表面用）、拭取り型住居用洗剤等のハウスホールド製品等に配合すれば、これら製品を使用することにより香料前駆体がヒト皮膚常在菌又は居住環境常在菌と接触して分解され、香料を徐放させることができる。
【実施例】
【００２９】
試験例１〜14
ブドウ球菌用液体培地（肉エキス0.1質量％、ペプトン１質量％、NaCl7.5質量％を含有する培地）に、成分(B)及び成分(C)（又は成分(B')のみ）を表１〜３に示す量（数値は全て添加後の濃度）加え、加熱混合した。その後、室温まで冷却した培地に、成分(A)を表１〜３に示す量加えた後、皮膚常在菌であるSt.capitisを107CFU/mLとなるように加えて、37℃で48時間振とう培養した。培養が終了した後、コハク酸ジゲラニルの分解によって生成したゲラニオールの量をSPME HS-GC/MSにより分析した。
コントロールとして、St.capitisを107CFU/mL、コハク酸ジゲラニルを0.2質量％、及びポリオキシエチレンラウリルエーテル（HLB＝10.5）を0.1質量％加えて同様に培養した場合のゲラニオール検出量を１とした相対比を各表中に示す。
SPME HS-GC/MS
注入条件：Splitless
注入口温度：250℃
Oven temp：40℃(4 min hold)−6℃/min−70℃−2℃/min−240℃
Column：DB-WAX (60 m×0.25 mm×0.25 μm)
【００３０】
【表１】
2018070806.tif 000002
【００３１】
【表２】
2018070806.tif 000003
【００３２】
【表３】
2018070806.tif 000004
【００３３】
実施例1-1〜1-3、比較例1-1〜1-4
試験例と同様のブドウ球菌用液体培地に、皮膚常在菌であるSt.capitisを107CFU/mL、及び表４に示す成分を表中の濃度となるように添加し、37℃で３日間振とう培養した。コハク酸ジゲラニルの分解によって生成したゲラニオールの量を試験例と同様にSPME HS-GC/MSにより分析し、比較例1-4を基準とした相対比を表４に示す。
また、10倍希釈した３日間培養後のサンプル１mLに塩化ナトリウム0.5ｇを加えたものについて、ゲラニオールの香りが認識できるか否か評価した。評価は３名のパネラーにより下記基準に従って行い、評価の平均値の小数点第１位を四捨五入して表４に示す。
（評価基準）
３：はっきり分かる
２：弱いが分かる
１：かすかに分かる
０：香りが知覚できない
【００３４】
【表４】
2018070806.tif 000005
【００３５】
実施例2-1、比較例2-1〜2-3
試験例と同様のブドウ球菌用液体培地に、皮膚常在菌であるSt.capitisを107CFU/mL、及び表５に示す成分を表中の濃度となるように添加し、37℃で３日間振とう培養した。アジピン酸ジゲラニルの分解によって生成したゲラニオールの量を試験例と同様にSPME HS-GC/MSにより分析し、比較例2-3を基準とした相対比を表５に示す。
また、10倍希釈した３日間培養後のサンプル１mLに塩化ナトリウム0.5ｇを加えたものについて、ゲラニオールの香りが認識できるか否か評価した。評価は３名のパネラーにより下記基準に従って行い、評価の平均値の小数点第１位を四捨五入して表５に示す。
（評価基準）
３：はっきり分かる
２：弱いが分かる
１：かすかに分かる
０：香りが知覚できない
【００３６】
【表５】
2018070806.tif 000006
【００３７】
実施例3-1、比較例3-1〜3-3
試験例と同様のブドウ球菌用液体培地に、皮膚常在菌であるSt.capitisを107CFU/mL、及び表６に示す成分を表中の濃度となるように添加し、37℃で３日間振とう培養した。セバシン酸ジゲラニルの分解によって生成したゲラニオールの量を試験例と同様にSPME HS-GC/MSにより分析し、比較例3-3を基準とした相対比を表６に示す。
また、10倍希釈した３日間培養後のサンプル１mLに塩化ナトリウム0.5ｇを加えたものについて、ゲラニオールの香りが認識できるか否か評価した。評価は３名のパネラーにより下記基準に従って行い、評価の平均値の小数点第１位を四捨五入して表６に示す。
（評価基準）
３：はっきり分かる
２：弱いが分かる
１：かすかに分かる
０：香りが知覚できない
【００３８】
【表６】
2018070806.tif 000007
【００３９】
実施例4-1、比較例4-1〜4-3
試験例と同様のブドウ球菌用液体培地に、皮膚常在菌であるSt.capitisを107CFU/mL、及び表７に示す成分を表中の濃度となるように添加し、37℃で３日間振とう培養した。ステアリン酸シス-3-ヘキセニルの分解によって生成したシス-3-ヘキセノールの量を試験例と同様にSPME HS-GC/MSにより分析し、比較例4-3を基準とした相対比を表７に示す。
また、10倍希釈した３日間培養後のサンプル１mLに塩化ナトリウム0.5ｇを加えたものについて、シス-3-ヘキセノールの香りが認識できるか否か評価した。評価は３名のパネラーにより下記基準に従って行い、評価の平均値の小数点第１位を四捨五入して表７に示す。
（評価基準）
３：はっきり分かる
２：弱いが分かる
１：かすかに分かる
０：香りが知覚できない
【００４０】
【表７】
2018070806.tif 000008
【００４１】
実施例5-1、比較例5-1〜5-3
試験例と同様のブドウ球菌用液体培地に、皮膚常在菌であるSt.capitisを107CFU/mL、及び表８に示す成分を表中の濃度となるように添加し、37℃で３日間振とう培養した。パルミチン酸シトロネリルの分解によって生成したシトロネロールの量を試験例と同様にSPME HS-GC/MSにより分析し、比較例5-3を基準とした相対比を表８に示す。
また、10倍希釈した３日間培養後のサンプル１mLに塩化ナトリウム0.5ｇを加えたものについて、シトロネロールの香りが認識できるか否か評価した。評価は３名のパネラーにより下記基準に従って行い、評価の平均値の小数点第１位を四捨五入して表８に示す。
（評価基準）
３：はっきり分かる
２：弱いが分かる
１：かすかに分かる
０：香りが知覚できない
【００４２】
【表８】
2018070806.tif 000009
【００４３】
配合例１  乳液
以下の成分を均一に混合し、香料前駆体を配合した乳液を調製した。
（質量％）
コハク酸ジゲラニル                              1
ポリオキシエチレンソルビタンモノオレエート      0.5
ステアリン酸                                    0.8
セチルアルコール                                1
ワセリン                                        4
液状パラフィン                                  8
ポリオキシエチレンモノオレート（20E.O.）        2
香料                                            適量
イオン交換水                                    残量
【００４４】
配合例２  制汗デオドラントスプレー組成物
LPG以外の成分を均一に混合し、得られた混合物をエアゾール用耐圧ガラス容器に詰めた後、LPGを充填し、香料前駆体を配合した制汗デオドラントスプレー組成物を調製した。
（質量％）
コハク酸ジゲラニル                                    0.2
ポリオキシエチレンソルビタンモノオレエート            0.1
ステアリン酸                                          0.1
イソプロピルメチルフェノール                          0.01
アルミニウムヒドロキシクロライド                      0.5
架橋型シリコーン・網状型シリコーンブロック共重合体*   3
パルミチン酸イソプロピル                              1
メチルフェニルシリコーン                              0.5
LPG                                                  94.94
*：KSP-105（信越化学工業製）
【００４５】
配合例３  シート状毛髪化粧品用組成物
以下の成分を均一に混合し、香料前駆体を配合したシート状毛髪化粧品用組成物を調製した。
（質量％）
コハク酸ジゲラニル                              0.2
ポリオキシエチレンソルビタンモノオレエート      0.1
ステアリン酸                                    0.1
エタノール                                     20.0
ジプロピレングリコール                          1.0
ポリオキシエチレン(60)硬化ヒマシ油              1.0
セテアレス-7                                    0.028
ポリシリコーン-9(2)                             0.3
アモジメチコン                                  0.14
メチルパラベン                                  0.15
l-メントール                                    0.05
乳酸                                            0.09
フェノキシエタノール                            0.002
香料                                            0.1
水                                              残量
【００４６】
配合例４  頭皮ケアトニック
以下の成分を均一に混合し、香料前駆体を配合した頭皮ケアトニックを調製した。
（質量％）
コハク酸ジゲラニル                              0.2
ポリオキシエチレンソルビタンモノオレエート      0.1
ステアリン酸                                    0.1
ステアリルトリメチルアンモニウムクロライド      0.05
グリセリン                                      2.0
ポリオキシエチレン(60)硬化ヒマシ油              0.4
EDTA                                            0.05
エタノール                                     50.0
香料                                            0.05
精製水                                          残量